(57)【要約】【課題】大形の容器封緘装置や、主要部を同形態とした軽量小型の卓上載置型の容器封緘装置における封緘機構を機構によって昇降させる構造とし、装置全体の小型化と安定性とを増加させるようにした包装用容器の封緘装置を提供するもの。【解決手段】  容器の封緘部の高さ位置に合わせて封緘機構を昇降させる昇降機構を、容器の周縁部の外周部を粘着テープで二つ折り状に挟み込んで接着する上下一対の圧着ローラと、容器の送り方向に沿って配置されて容器の周縁部をガイドする断面Ｖ字形の溝を有する治具と、粘着テープを順次断面Ｖ字形に折り曲げながら送り出すことができるように周面にＶ字形の溝を備えた少なくとも一つの成形用回転ローラと、断面Ｖ字形に屈曲された粘着テープによって容器の周縁部を挟み込ませながら前記圧着ローラ間に送り込む固定ガイド部材とを、同時に昇降するように昇降台上に設置してある構成としたもの。【選択図】      図１
2010089801.tif 000002
【特許請求の範囲】
【請求項１】
容器本体と蓋体とからなる合成樹脂シート材製包装用容器の封緘装置であって、
商品を入れた容器を搬送するコンベアと、容器本体と蓋体とを重ね合わせた状態で重合する容器の周縁部を粘着テープで封緘する封緘機構と、容器を封緘した後の粘着テープを所定の位置で切断するカッター機構と、容器の封緘部の高さ位置に合わせて封緘機構を昇降させる昇降機構とを含み、
該封緘機構が、容器の周縁部の外周部を粘着テープで二つ折り状に挟み込んで接着する上下一対の圧着ローラと、容器の送り方向に沿って配置されて容器の周縁部をガイドする断面Ｖ字形の溝を有する治具と、粘着テープを順次断面Ｖ字形に折り曲げながら送り出すことができるように周面にＶ字形の溝を備えた少なくとも一つの成形用回転ローラと、断面Ｖ字形に屈曲された粘着テープによって容器の周縁部を挟み込ませながら前記圧着ローラ間に送り込む固定ガイド部材とを、同時に昇降するように昇降台上に設置してあるものとし、
前記圧着ローラのテープ送り速度とコンベアの容器送り速度とが同期するようにそれぞれの駆動部が連動連結されている包装用容器の封緘装置。
【請求項２】
容器本体と蓋体とからなる合成樹脂シート材製包装用容器の封緘装置であって、
商品を入れた容器を搬送するコンベアと、容器本体と蓋体とを重ね合わせた状態で重合する容器の周縁部を粘着テープで封緘する封緘機構と、容器を封緘した後の粘着テープを所定の位置で切断するカッター機構と、容器の封緘部の高さ位置に合わせて封緘機構を昇降させる昇降機構とを含み、
該封緘機構が、容器の周縁部の外周部を粘着テープで二つ折り状に挟み込んで接着する上下一対の圧着ローラと、容器の送り方向に沿って配置されて容器の周縁部をガイドする断面Ｖ字形の溝を有する治具と、粘着テープを順次断面Ｖ字形に折り曲げながら送り出すことができるように周面にＶ字形の溝を備えた少なくとも一つの成形用回転ローラと、断面Ｖ字形に屈曲された粘着テープによって容器の周縁部を挟み込ませながら前記圧着ローラ間に送り込む固定ガイド部材とを備え、
前記圧着ローラのテープ送り速度とコンベアの容器送り速度とが同期するようにそれぞれの駆動部が連動連結され、
更に、前記コンベアが回転ハンドルを介して手動操作によって駆動するように構成され、前記カッター機構が操作体を介して手動により操作する構成とされ、且つ、装置全体が卓上に載置して操作できる卓上載置型の小型サイズに形成されている包装用容器の封緘装置。
【請求項３】
固定ガイド部材が、圧着ローラに可及的に近接した位置に配置されている請求項１または２に記載の包装用容器の封緘装置。
【請求項４】
固定ガイド部材が、成形用回転ローラを軸方向に沿って略半割形に切断して形成されている請求項１または２に記載の包装用容器の封緘装置。
【発明の詳細な説明】
【技術分野】
【０００１】
本発明は、惣菜包装用容器や鶏卵包装用容器のように、容器本体と蓋体とからなる合成樹脂シート材製の包装用容器を封緘する装置に関するものである。より詳しくは、容器本体と蓋体とが部体として形成されている容器であっても、容器本体と蓋体とがその一側においてヒンジ部を介して一体的に連結されている容器であっても、封緘することができる包装用容器の封緘装置に関するものである。
【０００２】
而して、本発明は被包装商品の生産者が、生産品の生産工場や包装倉庫等において、動力源を使用して生産品を効率的に包装するのに適した包装装置と、例えば天ぷらや煮物類等惣菜包装用の容器や鶏卵包装用の容器、きんかんやトマトその他の小形の果菜類や、菓子・パンのような食品包装用容器を、所要食品類を適宜に収容して封緘するときに、閉蓋した容器の周縁部を粘着テープによって封緘するとき、殊に、スーパーマーケットやコンビニエンスストア、青果店・鮮魚店・和洋菓子店等の包装場所や店頭に載置しておいて、惣菜その他の商品を収容した容器を包装担当者がその場で封緘したり、商品を購入した購買客自身がその場で商品を収容した容器を手動で封緘することができるようにした卓上載置型の封緘装置とに関するものである。
【背景技術】
【０００３】
従来から、この種の合成樹脂シート材製の包装用容器には、容器本体と蓋体とが別々に形成されている容器と、容器本体と蓋体とがその一側においてヒンジ部を介して一体的に連結されている容器とが存在し、一般によく知られている。この容器内に所要の商品を内装して販売する包装形態としては、そのほぼ全てが、通常は工場内等において効率的に行われている。例えば、鶏卵包装容器の場合、複数の鶏卵を容器内に収容し、蓋を閉じて容器本体と蓋体との重ね合わせ周縁部を粘着テープで効率的に封緘することが、鶏卵生産者において行われている。この動力源を使用した鶏卵包装用の自動封緘装置は、例えば本特許出願人が既に提案し公知になっている。このことは、後記の特許文献１や特許文献２に記載されている通りである。
【特許文献１】特許第２５３７４６１号公報
【特許文献２】特許第２７２９５９８号公報
【発明の開示】
【発明が解決しようとする課題】
【０００４】
これらの文献に記載の先行技術、即ち従来の容器封緘装置は、鶏卵等の供給メーカー即ち鶏卵生産業者が、自社工場等に設置した一連の鶏卵自動梱包ラインの末端部分に配置して、例えば１分間に５０個〜６０個またはそれ以上の容器を自動的に封緘する自動封緘機である。このような自動封緘機で封緘された鶏卵は段ボール箱等に収容され梱包されたのち、市場に出荷され、店頭に陳列され購買に供されている。
【０００５】
この現在使用されている自動封緘機は、それ自体効率よく作動する構造となっているものではあるが、鶏卵を内装した容器を封緘前から封緘後までの移送を司る一連に伸びた重量のあるコンベア装置全体を、水平を維持させながら昇降操作させなければならないため、昇降装置を大形で強度のあるものとしなければならないという課題を有し、併せて、このようなコンベア装置全体の昇降操作を瞬時に行わせるための大きな動力源を必要とし、１ｍｍや２ｍｍという微妙な昇降操作の設定を瞬時に確実に行わせるための精度も必要であるという課題を有しているものとなっている。
【０００６】
他方において、鶏卵についてみれば、一人暮らしの年配者のみならず若者であっても一人暮らしの人々にとっては、１０個包装の鶏卵ではなく、ばら売りの鶏卵を１個若しくは２，３個必要量だけ購入したいという要求があり、また、近年では、このような単身生活者に限らず、一般家庭人にあっても、前記のように、天ぷらや煮物類等の惣菜や、きんかん・トマトその他の小形の果菜類等を、購買者の好みに応じて必要量だけを購入し、購買者自身が合成樹脂シート材製の容器に入れて持ち帰るというケースが多く見られるようになってきている。このような場合、現在では、容器を封緘する手段として店頭に用意されている輪ゴムを掛けるか、セロファンテープで仮止めしているが、このような手段では、密閉効果が悪く、持ち運び中に容易に蓋が開いてしまうという課題を有している。しかしながら、このような封緘方法に代わる方法は現在のところ存在しない。
【０００７】
本発明は、前者のような動力源を使用した大形の容器封緘装置や、主要部を同形態として軽量小型の卓上載置型とした容器封緘装置における封緘機構を昇降させる構造として、コンベアを昇降させる構造のように大形で強度を必要とすることなく、装置全体の小型化と安定性とを増加させるようにし、大形の容器封緘装置が有する前記の課題を解消し、同時に、発明の主要部を同じ形態のものとして、軽量且つ小型で店頭等の卓上や台上に載置して使用することができる卓上載置型の容器封緘装置も開発し、電源を必要とすることなく、店の従業員のみならず、商品の購買者自身でも手動で容易に容器のシールができる新規な容器の封緘装置を提供することを目的とするものである。
【課題を解決するための手段】
【０００８】
該目的を達成するために講じた本発明の請求項１に記載の包装用容器の封緘装置の要件は、容器本体と蓋体とからなる合成樹脂シート材製包装用容器の封緘装置であって、商品を入れた容器を搬送するコンベアと、容器本体と蓋体とを重ね合わせた状態で重合する容器の周縁部を粘着テープで封緘する封緘機構と、容器を封緘した後の粘着テープを所定の位置で切断するカッター機構と、容器の封緘部の高さ位置に合わせて封緘機構を昇降させる昇降機構とを含み、該封緘機構が、容器の周縁部の外周部を粘着テープで二つ折り状に挟み込んで接着する上下一対の圧着ローラと、容器の送り方向に沿って配置されて容器の周縁部をガイドする断面Ｖ字形の溝を有する治具と、粘着テープを順次断面Ｖ字形に折り曲げながら送り出すことができるように周面にＶ字形の溝を備えた少なくとも一つの成形用回転ローラと、断面Ｖ字形に屈曲された粘着テープによって容器の周縁部を挟み込ませながら前記圧着ローラ間に送り込む固定ガイド部材とを、同時に昇降するように昇降台上に設置してあるものとし、前記圧着ローラのテープ送り速度とコンベアの容器送り速度とが同期するようにそれぞれの駆動部が連動連結されている構成としたものである。
【０００９】
また、請求項２に記載の包装用容器の封緘装置の要件は、容器本体と蓋体とからなる合成樹脂シート材製包装用容器の封緘装置であって、商品を入れた容器を搬送するコンベアと、容器本体と蓋体とを重ね合わせた状態で重合する容器の周縁部を粘着テープで封緘する封緘機構と、容器を封緘した後の粘着テープを所定の位置で切断するカッター機構と、容器の封緘部の高さ位置に合わせて封緘機構を昇降させる昇降機構とを含み、該封緘機構が、容器の周縁部の外周部を粘着テープで二つ折り状に挟み込んで接着する上下一対の圧着ローラと、容器の送り方向に沿って配置されて容器の周縁部をガイドする断面Ｖ字形の溝を有する治具と、粘着テープを順次断面Ｖ字形に折り曲げながら送り出すことができるように周面にＶ字形の溝を備えた少なくとも一つの成形用回転ローラと、断面Ｖ字形に屈曲された粘着テープによって容器の周縁部を挟み込ませながら前記圧着ローラ間に送り込む固定ガイド部材とを、同時に昇降するように昇降台上に設置してあるものとし、前記圧着ローラのテープ送り速度とコンベアの容器送り速度とが同期するようにそれぞれの駆動部が連動連結され、更に、前記コンベアが回転ハンドルを介して手動操作によって駆動するように構成され、前記カッター機構が操作体を介して手動により操作する構成とされ、且つ、装置全体が卓上に載置して操作できる卓上載置型の小型サイズに形成されている構成としたものである。
【００１０】
請求項３に記載の要件は、請求項１または２に記載の包装用容器の封緘装置における固定ガイド部材が、圧着ローラに可及的に近接した位置に配置されている構成としたものである。
【００１１】
請求項４に記載の要件は、請求項１または２に記載の包装用容器の封緘装置における固定ガイド部材が、成形用回転ローラを軸方向に沿って略半割形に切断して形成されている構成としたものである。
【発明の効果】
【００１２】
本発明にいう請求項１及び２に記載の発明は、商品を内装した容器を封緘作業の前後に亘って移動させるコンベア装置に比して、占有面積も絶対的重量も大幅に小さな封緘機構の構造を、容器の周縁部の外周部を粘着テープで二つ折り状に挟み込んで接着する上下一対の圧着ローラと、容器の送り方向に沿って配置されて容器の周縁部をガイドする断面Ｖ字形の溝を有する治具と、粘着テープを順次断面Ｖ字形に折り曲げながら送り出すことができるように周面にＶ字形の溝を備えた少なくとも一つの成形用回転ローラと、断面Ｖ字形に屈曲された粘着テープによって容器の周縁部を挟み込ませながら前記圧着ローラ間に送り込む固定ガイド部材とを、昇降台上に纏めてセットし、封緘機構全体を同時に昇降するようにしたので、コンベア装置全体を昇降させる装置に比して、この封緘機構を昇降させる昇降機構を大幅に小形化し、軽量化することができるので、コンベア上に載置した容器のシール作業面の高さ位置に対応させる封緘機構の昇降操作を小さな力で容易確実に行うことができるという顕著な効果を有するものである。
【００１３】
また、請求項２に記載の小形の卓上載置型とした封緘装置にあっては、発明の主要部を構成する封緘機構全体の構造を、前記と同じ構造を備えたものとすることによって、封緘装置全体を、軽量且つ小型で店頭等における卓上や台上に載置して使用することができる小形ものとすることが可能となり、電源を必要とすることなく、回転ハンドルを手動で回転させてコンベアを駆動させることにより、コンベア上に載置した容器を移動させながら、二つ折り状にした粘着テープで容器の周縁部を挟み込んで容易に接合封緘することができ、更に封緘機構における圧着ローラのテープ送り速度とコンベアの容器送り速度とを同期するように駆動部を連動連結されてあるので、ハンドルを回転させるだけで容器と粘着テープとを同期させて、確実に容器の封緘をすることができるという効果を有する。そのため、店の従業員のみならず、商品の購買者自身でも手動で容易に容器のシールができるという顕著な効果を期待することができるに至ったのである。
【００１４】
また、容器のサイズや形が異なり封緘位置の高さの異なる容器を、封緘機構の高さを昇降させて位置調整することによって容易に適応させることができ、装置全体を卓上や小形台上に載置させて操作でき、場所をとらないので、店頭内等の適宜の箇所に載置しておくことができ、商品の購買者自身でも便利に使用することができるという効果が期待できるものである。
【００１５】
請求項３に記載の包装用容器の封緘装置は、請求項１または２に記載の固定ガイド部材を、圧着ローラに可及的に近接した位置に配置したものとしてあるので、該固定ガイド部材によって断面Ｖ字形としたテープを確実に圧着ローラ間に移送させることができる利点がある。
【００１６】
請求項４に記載の包装用容器の封緘装置は、請求項１または２に記載の固定ガイド部材が、成形用回転ローラを軸方向に沿って略半割形に切断して形成されているものとしてあるので、別途に金型を形成する必要がないので、製造コストの低減化に寄与することができる利点がある。
【発明を実施するための最良の形態】
【００１７】
以下において本発明に係る包装用容器の卓上載置型に形成した封緘装置について図面に示した実施例に基づいて説明する。図１乃至図７は、第１実施例を示す図であって、図１は卓上載置型とした封緘装置の全体形状を示す正面図、図２は同平面図、図３はカッター機構を説明するための側面図、図４は昇降台を説明するための側面図、図５は封緘機構部分を示す斜視図である。また、図６及び図７は上下に対向配置させた圧着ローラ１０，１０を示す側面図である。
【００１８】
該実施例に示した卓上載置型封緘装置Ａは、図１のように、装置の全体を任意のテーブルＢや台上に載置して操作できるような小型サイズに形成されている。その大きさは特定範囲内のものである必要はないが、該実施例に示した装置の大きさを参考までに記載しておくと、図１における左右方向の長さを５５０〜６００ｍｍ程度に形成したものである。また、使用する粘着テープの幅についても特に限定されるものではないが、入手の容易な９ｍｍ、１０ｍｍ、１２ｍｍ、１５ｍｍ等の市販品を使用することができる。
【００１９】
また、本発明にいう卓上載置型封緘装置Ａによって封緘される包装用容器Ｃは、図４に示すように、容器本体１と蓋体２とがその一側においてヒンジ部３を介して一体的に連結されている薄い合成樹脂シート材製の容器であって、例えば鶏卵や惣菜、ケーキ等を収容するのに使用されている一般に周知の容器である。敢えて言うまでもなく、発泡性樹脂シート製の容器についても排除するものではない。そのため、発泡性素材の容器の厚みにも対応させるべく、上下に対向配置させた前記の圧着ローラ１０，１０の間隔は、後述する図６，７に記載のスプリング４６の押圧力に逆らって必要に応じて広がることができるようにしてある。
【００２０】
該実施例では、使用する合成樹脂製包装用容器Ｃを、容器本体１と蓋体２とが一側縁部においてヒンジ部３を介して一体的に連結されている形態の容器を対象として、その封緘手段について説明する。このように容器がヒンジ部を介して一体的に連結されているものである場合には、封緘作業時に容器本体と蓋体との遊端側の周縁部のみを封緘すればよいので封緘作業が容易である利点がある。
【００２１】
而して、封緘装置Ａは、商品を収容した包装用容器Ｃを搬送するための基台２２に設置されたコンベア５と、包装用容器Ｃのヒンジ部３に対向する容器本体１と蓋体２との遊端側の周縁部４を粘着テープ６で封緘する封緘機構７と、包装用容器Ｃを封緘した後の粘着テープ６を所定の位置で切断するカッター機構８と、コンベア５上に載置した容器の周縁部の高さ位置に合わせて封緘機構７を昇降させる昇降機構９とを備えている。
【００２２】
該封緘機構７は、図５に詳しく示したように、粘着テープ６を二つ折り状にして包装用容器Ｃの周縁部４の外周部を挟み込んで接着する上下一対の圧着ローラ１０，１０と、包装用容器Ｃの送り方向に沿って配置されて包装用容器Ｃの周縁部４をガイドする断面Ｖ字形の溝１１を有する治具１２と、粘着テープ６を順次断面Ｖ字形に折り曲げながら送り出すことができるように周面にＶ字形溝１３ａを備えた適宜数の、ここでは２個の成形用回転ローラ１３と、前記圧着ローラ１０に近接する位置に配置されて断面Ｖ字形になった粘着テープ６に包装用容器Ｃの周縁部４を挟み込ませながら上下の圧着ローラ１０間に送り込む断面Ｖ字形のガイド溝１４ａを備えた固定ガイド部材１４とを備えていて、これらが同時に昇降するように、図１，２及び４に示した昇降台４０に設置してある。
【００２３】
また、該実施例に示した前記固定ガイド部材１４は、図２に見られるように、前記成形用回転ローラ１３を軸方向に沿って略半割形に裁断して形成されたものであって、半割にされた裁断面１４ｂが圧着ローラ１０に接触しない範囲内で接近させて配置させてある。このようにすることにより、成型金型の数を削減してコストの低減化を図るとともに、容器の周縁部４を挟んだ状態の粘着テープ６を直ちに圧着ローラ１０で圧着できるようにしてある。
【００２４】
また、前記圧着ローラ１０を含む封緘機構７のフレイム４０は、装置の基台２２に対して昇降機構９により昇降可能に形成されている。該実施例に示した昇降機構９は、交点軸２３を支点として回動可能に×状に組み合わされた図における左右のリンク２４と、これら左右のリンク２４の交点軸２３を結ぶ筒杆２５と、この筒杆２５の一端開口部に螺合する調整ネジ軸２６とを含み、この調整ネジ軸２６の一端部が基台２２から立ち上げた基板２７とフレイム４０に保持され、基板２７から露出した右側の先端部に回動つまみ２８が設けられている。また前記×状リンク２４の一端側（図１における右端）の上下端は、ピン２９を介してフレイム４０の側板４０ａと基台２２とにそれぞれ回動自在に連結され、反対側の上下端はスライドピン３０を介してフレイム４０の側板４０ａと基台２２とに設けた水平な長孔３１にそれぞれスライド可能に嵌合されている。従って、回動つまみ２８を回動することにより筒杆２５が軸方向に移動して×状リンク２４の高さを変化させることにより封緘する容器の封緘部の高さ位置に圧着ローラ１０の高さを合わせるようにフレイム４０の高さを昇降調節させることができるようにしてある。また、図１のように、該封緘機構７のフレイム４０が昇降した際に、圧着ローラ１０側の駆動プーリー１０ａとコンベア側のプーリー１６ａとの相対位置が変化しても、回転伝導ベルト１９はテンションプーリー２０によって自動的に適度なテンションを維持するように保持されていて伝導効果が損われないようにしてある。なお、図１，２に示した符号４０ｂは、安全用の縦壁である。
【００２５】
粘着テープ６は、図２に示すように、リール状に巻回された状態でテープホルダ４１に保持され、テンション調整プーリー３７を経て上記の圧着ローラ１０、１０によって引き出されるように構成されている。テンション調整プーリー３７は、図１に示されたスプリング３８によって上面から弾性押圧力を受けてブレーキがかけられ、調整ナット３９を回動することによりスプリング３８の押圧力が加減されてブレーキ力が変化するように形成され、その側面を図２に示した接触ローラ３７ａの接触力によっても調整されるようになっている。このようにして、粘着テープ６に適正な緊張力が保持できるようにし、粘着テープの弛み発生を阻止している。
【００２６】
前記コンベア５は、図１，２の右側の駆動輪体１５と左側の従動輪体１６と、これらの両輪体１５，１６に懸架された無端ベルト１７とから構成され、駆動輪体１５の軸に回転ハンドル１８が設けられており、このハンドル１８を手で回転させることによりコンベア５が回転するように形成されている。また、コンベア５の駆動輪体１５の回動と連動して圧着ローラ１０が回転するように、駆動輪体１５と同軸のプーリー１５ａと、従動輪体１６と同軸のプーリー１６ａと、圧着ローラ１０と同軸のプーリー１０ａとに伝導ベルト１９が懸架されている。そして、圧着ローラ１０のテープ送り速度とコンベア５の容器送り速度とが同期するように、プーリー１６ａとプーリー１０ａとの直径を同一比率になるように形成されている。また、コンベア５は、基台２２に固定されたコンベアフレイム２１によって支持されている。
【００２７】
前記カッター機構８は、図３に詳しく示したように、基台２２に枢軸３３を介して支持された操作体３２を含み、この操作体３２を下方に押し下げて回動すると、該操作体３２と連動してローラ支持アーム３４が枢軸３３を支点として図３の矢印方向に回動し、先端のローラ３４ａがフレイム４０に保持されたプランジャー３５を押し出して、その先端に設けられたカッター３６が粘着テープ６の方向に押し出され、該テープを切断するように形成されている。前記プランジャー３５は、図示は省略するがローラ３４の押圧力がなくなるとスプリングによって常時カッター待機位置（図３の状態）に復帰するように形成されている。
【００２８】
また、前記操作体３２はコンベアの回転ハンドル１８の近傍位置に配置されている。これにより、回転ハンドル１８を回して容器を送った後、操作体３２に容易に手を移すことができ、テープの切断作業を容易且つ迅速に行うことができるようになっている。図１及び２に示した符号４２は、封緘装置Ａを持ち運びする際の把手であって、その下端が基台２２に固定されている。また、符号５１は、コンベアフレイム２１の上面に形成されたフラットな容器載置面板であって、コンベア５の容器載置面と同一平面を構成するように形成されている。該実施例では、このコンベアフレイム２１の容器載置面板５１を含めてコンベア５として説明している。しかしながら、図面は省略するが、このコンベアフレイム２１の容器載置面板５１を形成することなく、該容器載置面板５１の全部を占める程度に長くした一つのコンベア５だけの構造として実施することができるものである。
【００２９】
上記の如く構成された卓上載置型の容器封緘装置において、図５に示すように、鶏卵その他の食品を収容した包装用容器Ｃの周縁部４を、治具１２の断面Ｖ字形の溝１１に押しつけて矢印方向に移行させ、圧着ローラ１０、１０に近づけた位置で回転ハンドル１８を回転させることにより、包装用容器Ｃがコンベア５によって移行されてその周縁部４が粘着テープ６とともに圧着ローラ１０、１０で圧着され、二つ折りに挟み込ませて接着封緘を完了させた直後に、操作体３２を操作して包装用容器Ｃの後方に連なった粘着テープを切り離す。
【００３０】
また、封緘位置の高さの異なった容器を封緘する場合は、回動つまみ２８を回転操作して昇降台４０を昇降させることによって、この昇降台４０に設けてある封緘機構７を昇降させることにより、封緘する包装用容器Ｃの周縁部４の高さに封緘機構７の作業位置を合わせて正しく封緘することができるようになっている。
【００３１】
上下の圧着ローラ１０、１０の間に粘着テープ６を最初にセットする際に、上部圧着ローラ１０を上方に移動できるようにするのが好ましい。そのために本実施例では、図６に示したように、下部圧着ローラ１０を支えるフレイム４０に対して上部圧着ローラ１０を支える上部フレイム４３を別体として、この上部フレイム４３を枢軸４５を支点としてフレイム４０にシーソー状に揺動可能に保持させ、上部フレイム４３に設けた上部ローラ１０を、該ローラ１０の設置側とは反対側の端部に、該端部を常時上方に押し上げるスプリング４６を設け、下部のフレイム４４から延長させた棒杆４７の先端を上部フレイム４３の上面にルーズに貫通させて、この露出部分にピン軸４８を支点として揺動するカム４９を設けて取手５０により操作するようにしてある。
【００３２】
このようにして、図７に示すように、取手５０を押し下げてカム４９を回動させることにより、上部フレイム４３が枢軸４５を支点として揺動し、上部カム１０を持ち上げて下部ローラとの間に隙間を広げて、容易に粘着テープを上下の圧着ローラ間にセットすることができるようにしてある。また、常時はスプリング４６の押圧力によって上部圧着ローラが下部圧着ローラに対して弾圧されて両圧着ローラによる粘着テープの送り並びに接合を効果的に行うことができるようになっている。
【００３３】
以上の実施例では、前記固定ガイド部材１４を、成形用回転ローラ１３を軸方向に沿って略半割に裁断して形成してコストの低減化を図ったが、これに代えて図７に示すように別個に、例えば平面視略四角形の形態で形成した固定ガイド部材１４として使用してもよいことは言うまでもない。
【００３４】
また、具体的な図面として図９に示したように、前記実施例では、封緘機構７の昇降機構９について、基台２２の右側方に突出させた調整ネジ軸２６の先端部の回動つまみ２８を回動させることにより、×状に組み合わせた左右のリンク２４を操作してフレイム４０を昇降させる装置としたが、この昇降操作体としての回動つまみ２８は必ずしも基台２２の右側方に突出させてある必要はない。即ち、図９のように、操作つまみ２８の操作用調整ネジ軸２６を基台２２の前後方向に向けて配置し、この操作つまみ２８を基台２２の前面側に突出させて形成する構造として、基台２２の前後方向に調整ネジ軸２６を支持させる基板２７を設置し、この基板２７に対して調整ネジ軸２６の手前側に昇降操作用の回動つまみ２８を設け、中間部、詳しくは左右のリンク２４の交点軸２３を結ぶ杆体２５との交差部分の上方に杆体２５の操作ギヤーまたは係合突起２６Ｇを固定し、この操作ギヤーまたは係合突起２６Ｇと、左右のリンク２４の交点軸２３を結ぶ杆体２５に形成した単数または複数の突起若しくはラック状ギヤーと係合させて、該杆体２５を左右方向に移動させる構造として実施することもできるものである。
【００３５】
上記の実施例は、卓上載置型とした小型の封緘装置について説明したものであるが、この昇降台４０に設置した封緘機構７と、この昇降台４０を昇降させる昇降機構９は、全くそのまま動力源を利用した高速の大量封緘機についても実施することができ、全体として昇降装置を小型化できるものである。
【００３６】
以上本発明の代表的な実施例について説明したが、本発明は必ずしも上記の実施例構造のみに特定されるものではない。例えば、封緘後の粘着テープを切断するカッター機構８や封緘機構７の昇降機構９はその目的を達成できるものであればよいので別の機構として実施することができる。その他本発明はその目的を達成し、請求の範囲を逸脱しない範囲内で適宜修正したり変更して実施することができるものである。
【産業上の利用可能性】
【００３７】
本発明にいうところの卓上載置型の容器の封緘機にあっては、スーパーマーケット等の店頭で惣菜等の食品を収容した容器を商品の購買客自身が手動で操作して封緘することができる簡易封緘装置として利用することができるので、市場において大いに利用されるものと思われる。
【図面の簡単な説明】
【００３８】
【図１】主要な封緘装置の実施例を示す正面図。
【図２】同封緘装置の平面図。
【図３】同封緘装置の粘着テープ切断機構部分を説明する側面図。
【図４】同封緘装置の側面図。
【図５】同封緘装置における封緘機構部分を示した斜視図。
【図６】同封緘装置における圧着ローラ部分の説明図。
【図７】上部の圧着ローラを持ち上げた状態を示す図５同様の説明図。
【図８】固定ガイド部材の他の実施例を示す斜視図。
【図９】別の実施例を示す封緘装置の正面図。
【符号の説明】
【００３９】
Ａ  封緘装置
Ｂ  テーブル
Ｃ  包装用容器
１  容器本体
２  蓋体
３  ヒンジ部
４  周縁部
５  コンベア
６  粘着テープ
７  封緘機構
８  カッター機構
９  昇降機構
１０  圧着ローラ
１１  溝
１２  治具
１３  成形用回転ローラ
１４  固定ガイド部材
１８  回転ハンドル
２１  コンベアフレイム
２２  基台
３２  操作体
【図１】
2010089801.tif 000003
【図２】
2010089801.tif 000004
【図３】
2010089801.tif 000005
【図４】
2010089801.tif 000006
【図５】
2010089801.tif 000007
【図６】
2010089801.tif 000008
【図７】
2010089801.tif 000009
【図８】
2010089801.tif 000010
【図９】
2010089801.tif 000011